(57)【要約】【課題】設備費用が安価で、かつ、広い設置スペースを必要とすることなく、高い水質品位で水を汲み上げることができる取水装置および取水方法を提供する。【解決手段】底部近傍に吸込口を有する水中ポンプと水中ポンプに連結された揚水管とを備えた水中ポンプ直汲み上げ方式の取水装置であって、水中ポンプの運転時の水底からの泥砂の吸い込みを防止する泥砂吸い込み防止手段が、水中ポンプの底部と水底との間に配置されている取水装置。泥砂吸い込み防止手段が、泥砂吸い込み防止板、または水底に対して略平行に配置された底板と底板の周縁から上方に向かって立ち上がる壁部と上方に開口部を有する有底容器である取水装置。および、前記取水装置を用いて水を汲み上げる取水方法。【選択図】図１
2014227673.tif 000002
【特許請求の範囲】
【請求項１】
底部近傍に吸込口を有する水中ポンプと前記水中ポンプに連結された揚水管とを備えた水中ポンプ直汲み上げ方式の取水装置であって、
前記水中ポンプの運転時の水底からの泥砂の吸い込みを防止する泥砂吸い込み防止手段が、前記水中ポンプの底部と水底との間に配置されている
ことを特徴とする取水装置。
【請求項２】
前記泥砂吸い込み防止手段が、泥砂吸い込み防止板であることを特徴とする請求項１に記載の取水装置。
【請求項３】
前記泥砂吸い込み防止手段が、水底に対して略平行に配置された底板と、前記底板の周縁から上方に向かって立ち上がる壁部と、上方に開口部を有する有底容器であり、
前記水中ポンプが、前記有底容器内に配置されていることを特徴とする請求項１に記載の取水装置。
【請求項４】
請求項１ないし請求項３のいずれか１項に記載の取水装置を用い、
前記水中ポンプの底部と前記泥砂吸い込み防止手段との間に所定の間隔を設けて、
前記水中ポンプにより水を汲み上げることを特徴とする取水方法。
【発明の詳細な説明】
【技術分野】
【０００１】
本発明は、水中ポンプを用いて池などの水を汲み上げるための取水装置および取水方法に関する。
【背景技術】
【０００２】
池などから水を汲み上げる場合、水中ポンプを水中に沈めた状態で直置きして、水を汲み上げる水中ポンプ直汲み上げ方式が広く用いられている。この方法によれば、比較的に安価で水を汲み上げることができる。
【０００３】
図２は、水中ポンプ直汲み上げ方式において従来から用いられている取水装置の概要を模式的に示す図である。図２で示すように、取水装置は水中ポンプ１１、水中ポンプ１１に連結されて水を汲み上げる揚水管１２、揚水管１２を支持する支持部材１３および水中ポンプ１１を載置するためのポンプ用架台１４を備えている。そして、水中ポンプ１１の底部近傍には吸込口１１ａが設けられている。
【０００４】
この取水装置を使用する際には、池などの取水場所の最低水位よりも吸込口１１ａが下方に位置するように水中ポンプ１１を沈める。そして、水中ポンプ１１を運転させ、吸込口１１ａから水を吸い込み、揚水管１２を通して水を地上に汲み上げる。
【０００５】
このような取水装置を用いた場合、運転を開始すると水中ポンプ１１の吸い上げによって、水中ポンプ１１下方の水底に溜まった泥砂を巻き上げるような水流が生じることがある。この場合、巻き上げられた泥砂が水と共に水中ポンプ１１に吸い込まれるため、水中ポンプ、配管、次段階に配置されている機器などを痛める恐れがある。また、泥砂が混じった低い水質品位の水をそのまま散水して利用することは問題がある。
【０００６】
また、このような状態のまま水中ポンプ１１を運転し続けると、水底に堆積した泥砂が継続してポンプ用架台１４の周囲に呼び寄せられる。この結果、水中ポンプ１１に泥砂が吸い込まれる可能性が時間経過と共に増加する。
【０００７】
そこで、通常は、水中ポンプ１１の下流側に何槽（３〜４槽）かの沈殿槽が設けられている。これらの沈殿槽に泥砂などの混入物を沈殿させることによって、沈殿槽の最終槽から比較的に水質品位が向上した水を得ることができる。
【０００８】
また、汲み上げた水から混入物を取り除く技術として、例えば水中ポンプの吐出側に固液分離機を取り付けて混入物が分離された処理水を抽出する技術（例えば特許文献１）や、取水管途中の水中に設けた密閉タンクで混入物をトラップする技術（例えば特許文献２）などが開発されている。
【先行技術文献】
【特許文献】
【０００９】
【特許文献１】特開２００２−１８８１８４号公報
【特許文献２】特開２００７−４０１１７号公報
【発明の概要】
【発明が解決しようとする課題】
【００１０】
しかしながら、例えば、沈殿槽を設置する場合には、多額の費用が必要であると共に、沈殿槽を設置するためのスペースが必要となる。そして、このような設置スペースを確保できないような場所では、この方法を用いること自体が難しい。仮に、沈殿槽の設置スペースを改めて設けるとなると、さらに多額の費用が必要となる。
【００１１】
また、固液分離装置や密閉タンクを用いる場合も多額の費用が必要であると共に、これらの装置の保守が必要であるという問題がある。
【００１２】
そこで、本発明は、設備費用が安価で、かつ、広い設置スペースを必要とすることなく、高い水質品位で水を汲み上げることができる取水装置および取水方法を提供することを課題とする。
【課題を解決するための手段】
【００１３】
請求項１に記載の発明は、
底部近傍に吸込口を有する水中ポンプと前記水中ポンプに連結された揚水管とを備えた水中ポンプ直汲み上げ方式の取水装置であって、
前記水中ポンプの運転時の水底からの泥砂の吸い込みを防止する泥砂吸い込み防止手段が、前記水中ポンプの底部と水底との間に配置されている
ことを特徴とする取水装置である。
【００１４】
請求項２に記載の発明は、
前記泥砂吸い込み防止手段が、泥砂吸い込み防止板であることを特徴とする請求項１に記載の取水装置である。
【００１５】
請求項３に記載の発明は、
前記泥砂吸い込み防止手段が、水底に対して略平行に配置された底板と、前記底板の周縁から上方に向かって立ち上がる壁部と、上方に開口部を有する有底容器であり、
前記水中ポンプが、前記有底容器内に配置されていることを特徴とする請求項１に記載の取水装置である。
【００１６】
請求項４に記載の発明は、
請求項１ないし請求項３のいずれか１項に記載の取水装置を用い、
前記水中ポンプの底部と前記泥砂吸い込み防止手段との間に所定の間隔を設けて、
前記水中ポンプにより水を汲み上げることを特徴とする取水方法である。
【発明の効果】
【００１７】
本発明によれば、設備費用が安価で、かつ、広い設置スペースを必要とすることなく、高い水質品位で水を汲み上げることができる取水装置および取水方法を提供することができる。
【図面の簡単な説明】
【００１８】
【図１】本発明の一実施の形態に係る取水装置を概略的に示す図である。
【図２】従来の取水装置の概要を模式的に示す図である。
【発明を実施するための形態】
【００１９】
以下、本発明を実施の形態に基づき、図面を参照して説明する。
【００２０】
［１］第１の実施の形態
はじめに、本実施の形態の取水装置について説明する。図１は本実施の形態に係る取水装置を概略的に示す図であり、（ａ）は平面図、（ｂ）は（ａ）のｂ−ｂ線から見た正面概要図、（ｃ）は（ａ）のｃ−ｃ線から見た側面概要図である。
【００２１】
本実施の形態の取水装置は、従来の水中ポンプ１、揚水管２、揚水管２を支持する支持部材３に加えて、水中ポンプ１の底部と水底との間に泥砂吸い込み防止手段としての有底容器４が配置されている。なお、図１において、５はケミカルアンカー、６はアングル、７は防振ゴムである。
【００２２】
有底容器４は、水底に対して略平行に配置された底板４ａと、底板４ａの周縁から上方に向かって立ち上がる壁部４ｂとを有しており、上方に開口部が設けられている。そして、水中ポンプ１は、この有底容器４内に配置されている。
【００２３】
なお、有底容器４の底板と水中ポンプ１の吸込口１ａとの間には、水中ポンプ１による水の吸い込みに際して大きな抵抗が発生しないように、所定の隙間が確保されている。
【００２４】
取水に際しては、内部に水中ポンプ１が設置された有底容器４の上端が、池などの取水場所の最低水位よりも下方に位置するように水中ポンプ１を沈めて運転する。これにより、有底容器４上方の開口部から有底容器４内に水が取り込まれて、水中ポンプ１の底部近傍の吸込口１ａから水中ポンプ１内に吸い込まれる。水中ポンプ１内に吸い込まれた水は、その後、揚水管２を経由して汲み上げられる。
【００２５】
このとき、水中ポンプ１の底部と水底との間には有底容器４が配置されているため、水中ポンプ１の運転時、水中ポンプ１の底部に水流が生じても水底から泥砂が巻き上げられることがない。
【００２６】
この結果、水中ポンプ１への泥砂の吸い込みが効果的に防止されると共に、有底容器４上方の開口部から水中ポンプ１に水が取り込まれるため、水質品位の高い水を汲み上げ、取水することができる。
【００２７】
なお、有底容器４の素材としては、ステンレス（ＳＵＳ）が好ましく用いられる。また、取水装置を形成する他の部材である支持部材３、ケミカルアンカー５、アングル６にもステンレス（ＳＵＳ）が好ましく用いられる。
【００２８】
［２］第２の実施の形態
本実施の形態に係る取水装置は、泥砂吸い込み防止手段として図１に示した有底容器に替えて平板状の泥砂吸い込み防止板（所謂、邪魔板）が配置されている以外は、第１の実施の形態に係る取水装置と同じ構成となっている。
【００２９】
即ち、適切なサイズの邪魔板を、水底に対して略平行に、水中ポンプの吸込口と所定の隙間を隔てて配置することにより、前記した有底容器を設けた場合と同様に、水中ポンプの底部に水流が生じても水底から泥砂が巻き上げられることがなく、水中ポンプへの泥砂の吸い込みを効果的に防止することができる。この結果、第１の実施の形態と同様に、水質品位の高い水を汲み上げ、取水することができる。
【００３０】
以上のように、本実施の形態によれば、有底容器や邪魔板を泥砂吸い込み防止手段として配置するという簡便な手段により、水質品位の高い水を汲み上げ、取水することができるため、水中ポンプが吸い込んだ水から混入物を除去するための装置や設備（固液分離機、密閉タンク、沈殿槽など）を設ける必要がない。この結果、設備費用を安価に抑えることができ、また、広い設置スペースを確保する必要もない。
【００３１】
以上、本発明を実施の形態に基づいて説明したが、本発明は、上記の実施の形態に限定されるものではない。本発明と同一および均等の範囲内において、上記の実施の形態に対して種々の変更を加えることが可能である。
【実施例】
【００３２】
図１に示す取水装置（実施例）および図２に示す取水装置（比較例）を池の中に設置して運転を開始し、揚水管を経由して汲み上げられた水の水質検査を行った。
【００３３】
その結果、実施例の取水装置を用いた場合には、比較例の取水装置を用いた場合に比べて、泥や含有鉄分が低減されており、実施例の取水装置を用いることにより、水質品位の高い水を汲み上げ、取水することができることが確認できた。
【００３４】
また、比較例の取水装置を用いた場合には取水開始時に茶色の水が吐出されたが、実施例の取水装置を用いた場合には取水開始時から無色透明の水が吐出された。
【符号の説明】
【００３５】
１、１１      水中ポンプ
１ａ、１１ａ  吸込口
２、１２      揚水管
３、１３      支持部材
４            有底容器
４ａ          底板
４ｂ          壁部
５            ケミカルアンカー
６            アングル
７            防振ゴム
１４          ポンプ用架台
【図１】
2014227673.tif 000003
【図２】
2014227673.tif 000004